(57)【特許請求の範囲】
【請求項１】
門柱に固定される固定部材と、一端部に上方に突出するピンを有し、他端部側が前記固定部材に左右方向及び前後方向に移動自在に挿入される支持部材と、前記固定部材の前記支持部材の一端部と反対側の側壁に左右方向には移動不能に、かつ、回転自在に支持され、軸部が前記支持部材の他端部側にその支持部材の長手方向に設けられた第１のねじ孔にねじ込まれる左右方向調整ボルトと、前記支持部材の他端部側にその支持部材の長手方向に対して直角方向に設けられた第２のねじ孔及び第３のねじ孔にそれぞれねじ込まれる前後方向調整ねじ及び固定ねじとからなる門扉取付用ヒンジの取付装置において、
前記前後方向調整ねじは、前記固定部材の前記門柱と反対側の正面壁の内面から前記門柱の前記固定部材取付面間での距離とほぼ等しい長さを有し、前記支持部材の第２のねじ孔にねじ込まれた状態で前記固定部材に挿入され、
前記固定部材の正面壁には前記前後方向調整ねじ及び固定ねじの頭の径よりも小さな短径を有する左右方向に長い長孔を有し、前記固定ねじは前記長孔を貫通して前記支持部材の第３のねじ孔にねじ込まれることを特徴とする門扉取付用ヒンジの取付装置。
【発明の詳細な説明】
【０００１】
【発明の属する技術分野】
本発明は、門扉取付用ヒンジの門柱に対する取付装置、とくに、門扉の前後左右の傾きを調整できるものに関する。
本明細書において、「前後」及び「左右」とは、それぞれ閉鎖位置に存在する門扉に対向した場合の前後及び左右を意味する。
【０００２】
【従来の技術】
一般に門扉を門柱に取付けるには、門柱の上、下部に一対のヒンジを取付け、そのヒンジで門扉を開閉自在に支持させている。そして、ヒンジは一般に、一端部に上方に突出するピンを有する支持部材と、そのピンに回転自在に嵌合して支持される被支持部材とからなっていて、支持部材は門柱に固定され、被支持部材は門扉に固定されるが、門柱の立設誤差やヒンジ、とくに支持部材の門柱に対する取付け誤差などの集積により、取付けた門扉に前後及び／又は左右に傾きが生じる場合があるので、このような門扉の前後及び左右の傾きを調整できるようにした門扉取付用ヒンジの取付装置が、これまで種々開示されている。
【０００３】
そのような取付装置の中で、門柱に固定される固定部材と、一端部に上方に突出するピンを有し、他端部側が前記固定部材に左右方向及び前後方向に移動自在に挿入される支持部材と、前記固定部材の前記支持部材の一端部と反対側の側壁に左右方向には移動不能に、かつ、回転自在に支持され、軸部が前記支持部材の他端部側にその支持部材の長手方向に設けられた第１ねじ孔にねじ込まれる左右方向調整ボルトと、前記固定部材の正面壁に設けられた長孔に貫通され、前記支持部材の他端部側にその支持部材の長手方向に対して直角方向に設けられた第２ねじ孔にねじ込まれる前後方向調整ねじとからなる門扉取付用ヒンジの取付装置が、実開平２−２１２６９号公報に記載されているが、前後方向調整ねじで支持部材の前後方向の固定をも兼ねているので、固定強度が不十分なために門扉開閉時の衝撃が反復して加わると、取付位置に狂いが生じ、度々位置調整をしなければならないという不都合があった。その後、その改善が試みられた（例えば、実開平７−１２９１号，実開平７−１２９３号）が、構成が複雑になり、製造コストの増大及び調整作業の繁雑化を招いた。
【０００４】
このように事情の下に、構成を最大限に簡潔化するとともに、前後方向調整ねじによる前後方向調整後の固定強度・安定度を高めて、門扉開閉時の衝撃に強くするようにした門扉取付用ヒンジの取付装置が実開平７−６４９９号公報に開示された。これは、図５に示すように、門柱に固定される固定部材５１と、一端部に上方に突出するピン５２を有し、他端部側が前記固定部材に左右方向及び前後方向に移動自在に挿入される支持部材５３と、前記固定部材の前記支持部材の一端部と反対側の側壁に左右方向には移動不能に、かつ、回転自在に支持され、軸部が前記支持部材の他端部側にその支持部材の長手方向に設けられた第１のねじ孔５４にねじ込まれる左右方向調整ボルト５５と、軸部が固定部材５１の正面壁に形成された長孔５６に貫通され、かつ、前記支持部材の他端部側にその支持部材の長手方向に対して直角方向に設けられた第２のねじ孔５７にねじ込まれ、頭部が前記長孔に係止される前後方向調整ねじ５８と、及び固定部材５１の正面壁に形成された第３のねじ孔５９にねじ込まれ、支持部材の他端部側に押し当てられ固定ねじ５１０とからなるものであり、左右方向調整ボルト５５による左右方向Ｄ１位置調整及び前後方向調整ねじ５８による前後方向Ｄ２調整の終了後に、固定ねじ５１０をねじ込み、支持部材５３の他端部側に押付けることにより、固定強度及び安定度を高めるようにしたものである。
【０００５】
【発明が解決しようとする課題】
しかしながら、上記実開平７−６４９９号の先行技術は、前後方向調整ねじ５８と固定ねじ５１０のいずれも、固定部材５１の正面壁に設けられた長孔５６及びねじ孔５９にその外側から挿入され、あるいはねじ込まれる構成である。
そのため、固定ねじ５１０の頭部は、支持部材５１の前後方向の位置によっては、固定部材の正面壁から浮き上がり、図５に鎖線で示されるように最も後ろ方向に移動されたときは、その浮き上がり量が最大になり、造作をしない場合は、その固定ねじが怪我の原因になったり、門柱の外観を損ねたりする恐れがあるので、これを防止するため、図５に例示されているように、固定ねじの最大浮き上がりを吸収できる程度の深さを有する溝５１１を正面壁に形成する必要があり、製造コストを高くすることとなる。
また、この先行技術のものは、支持部材が前後方向中間位置に固定された状態では、門扉開放時に支持部材に加わる前方向のモーメントは前後方向調整ねじ５８の頭部を介して固定部材５１の長孔５６の上下辺の一部に集中応力を加え（門扉が外開き形式に取付けられた場合）、又は、門扉開放時に支持部材に加わる後方向のモーメントは固定ねじ５１０の軸部から第３のねじ孔５９に集中応力を加える（門扉が内開き形式に取り付けられた場合）。すなわち、支持部材に加わる大きな衝撃力が前後方向調整ねじ５８又は固定ねじ５１０のいずれか１本だけに集中するので、長孔５６の周辺が破損されたり、ねじ孔５７又は固定ねじ５１０のねじ山が破損されたりする恐れがあるという問題がある。
【０００６】
本発明は、上記の難点を解消するためになされたものであり、その課題は、簡単な構成で、門扉の前後及び左右の傾きが容易に調整でき、しかも、取付位置のいかんに関わりなく、前後方向調整ねじ及び固定ねじが固定部材の正面壁からの浮き上がりがなく、かつ、門扉開放時の衝撃力に強い門扉取付け用ヒンジの取付装置を提供することにある。
【０００７】
上記課題を解決する本発明は、門柱に固定される固定部材と、一端部に上方に突出するピンを有し、他端部側が前記固定部材に左右方向及び前後方向に移動自在に挿入される支持部材と、前記固定部材の前記支持部材の一端部と反対側の側壁に左右方向には移動不能に、かつ、回転自在に支持され、軸部が前記支持部材の他端部側にその支持部材の長手方向に設けられた第１のねじ孔にねじ込まれる左右方向調整ボルトと、前記支持部材の他端部側にその支持部材の長手方向に対して直角方向に設けられた第２のねじ孔及び第３のねじ孔にそれぞれねじ込まれる前後方向調整ねじ及び固定ねじとからなる門扉取付用ヒンジの取付装置において、前記前後方向調整ねじは、前記固定部材の前記門柱と反対側の正面壁の内面から前記門柱の前記固定部材取付面までの距離とほぼ等しい長さを有し、前記支持部材の第２のねじ孔にねじ込まれた状態で前記固定部材に挿入され、前記固定部材の正面壁には前記前後方向調整ねじ及び固定ねじの頭の径よりも小さな短径を有する左右方向に長い長孔を有し、前記固定ねじは前記長孔を貫通して前記支持部材の第３のねじ孔にねじ込まれることを特徴としている。
【０００８】
第２のねじ孔に前後方向調整ねじをねじ込んだ支持部材の他端部側を門柱の所定位置に固定された固定部材に挿入し、固定部材の支持部材の一端部と反対側の側壁に装着した左右方向調整ボルトを支持部材の第１のねじ孔にねじ込み、固定部材の正面壁の長孔から固定ねじを挿入して支持部材の第３のねじ孔にねじ込む。この状態で、前後方向調整ねじの頭部は、固定部材の長孔の内側辺に当接している。
傾き調整する際は、左右方向調整ボルトの回転方向の選択及び回転量の加減により、左右方向の傾きの調整が可能であり、固定ねじを緩めて置いて、前後方向調整ねじを所要方向に回転させることにより、前後方向の位置調整が可能であり、最後に、固定ねじを締め付ければ良い。前後方向調整ねじの頭部及び軸部先端は、常にそれぞれ固定部材の内面と門柱の固定部材取付け面に当接している。
【０００９】
【発明の実施の形態】
次に、本発明の実施の形態について、図示の実施例に基づいて説明する。
図１は、本発明に係る門扉取付け用ヒンジの取付装置の分解斜視図、固定部材に支持部材を固定した状態における正面図、図３は同じく横断面図、図４は門扉取付け用ヒンジを用いて取付けられた門扉の正面図である。
【００１０】
図１において、Ａは固定部材、Ｂは支持部材である。固定部材Ａは、共通な垂直面に沿って上方及び下方に延びる取付け壁１，２を有し、その取付け壁１，２を門柱Ｃの取付け面に当接し、その取付け壁１，２に形成してある孔１ａ，２ａに固定ねじ１ｂ，２ｂをねじ込んで、門柱の所定位置に固定される。
固定部材Ａは、取付け壁１の下端部及び取付け壁２の上端部からそれぞれ手前方向に張り出す上壁３及び下壁４を有し、さらにその上壁と下壁の張り出し端部間を連続して閉塞する正面壁５を有し、取付け壁１、上壁３、正面壁５、下壁４及び取付け壁２のそれぞれの一端部と接続され、かつ、固定部材Ａの左右いずれか一端部を閉塞する端部壁６を有して、固定部材の背面と左右いずれか他端面とに開口された支持アーム挿入空間７を有するほぼ箱状に形成されている。
そして、端部壁６の高さ方向ほぼ中央に、支持アーム挿入空間７に貫通するように形成された孔６ａに左右方向調整ボルトｂ１の軸部が挿通され、その軸部の孔６ａよりも内側の頭部に近い部分及び孔６ａよりも外側の頭部の至近位置において固定されたワッシャ８，９により、左右方向調整ボルトｂ１は軸方向には移動不能にかつ回転自在に保持されている。
【００１１】
固定部材Ａの正面壁５の高さ方向ほぼ中央部分に、左右方向に長い、浅い溝１０が形成され、その溝の底部中央にその溝の長手方向と平行に延び、かつ、正面壁５を貫通する長孔１１が形成されている。溝１０の深さは、後述される固定ねじｂ３の頭部の高さにほぼ等しい。
【００１２】
他方、支持部材Ｂは、板部１２と、その板部の一端部に形成された筒部１３とを一体に有し、筒部１３は高さ方向中央部に底１３ａを有し、その筒１３の上部の孔にピン１４が圧入され、その一部が筒１３から上方に突出されている。支持部材Ｂの板部の他端部側は、ほぼ横長の平板上に形成され、前記固定部材Ａの支持アーム挿入空間７に左右及び前後方向に移動自在に挿入することができる。
そして、支持部材Ｂの他端部側は、端面から長手方向に延びる第１のねじ孔１５が形成され、支持部材の長手方向ほぼ中央部に、その長手方向と直角な方向に貫通する第２のねじ孔１６が形成され、その第２のねじ孔１６の支持部材Ｂの他端部と反対側に、第２のねじ孔１６と平行な方向に貫通する第３のねじ孔１７が形成されている。
【００１３】
支持部材Ｂの第２のねじ孔１６には、支持部材Ｂが固定部材Ａの支持アーム挿入空間７に収納される前に、前後方向調整ねじｂ２が支持部材Ｂの正面側からねじ込まれる。この前後方向調整ねじＢ２の頭部から軸先端までの長さは、固定部材Ａの正面壁の長孔１１の内面から固定部材Ａが固定された門柱Ｃの取付け面までの距離とほぼ等しい。
【００１４】
固定部材Ａに支持部材Ｂを取付ける際は、前後方向調整ねじｂ２を取付けた支持部材Ｂの他端部側を固定部材Ａの支持アーム挿入空間７に挿入し、第１のねじ孔６ａに左右方向調整ボルトｂ１の軸先端を合致させ、そのボルトｂ１を所定方向に回転する。その回転量により、支持部材Ｂの左右方向の位置決めを行うことができる。そして、長孔１１から固定ねじｂ３を挿入し、その軸部の先端を第３のねじ孔１７にねじ込む。
この状態で、支持部材Ｂのピン１４に門扉Ｄに予め固定されている被支持部材Ｅの筒にその下方から挿入して、門扉Ｄを吊り込む。そのときの左右の門扉Ｄの上端部が共通の水平線上に整列し、左右の門扉の突き合わせ面の間に垂直な一定間隔の隙間が形成されるように、各ヒンジの調整ボルトｂ１及び／又は調整ねじｂ２を操作して、左右及び／又は前後の傾きの調整を行う。すなわち、左右方向調整ボルトｂ１を所要方向に所要量だけ回転し、前後方向調整ねじｂ２を所要方向に所要量だけ回転する。そして、最後に、固定ねじｂ３をねじ込み、固定ねじｂ３の頭部が長孔１１の上下の辺に係合して支持部材Ｂに強い引っ張り力を与えてロックした状態で、調整作業を終了する。
【００１５】
上記のように、本発明においては、前後方向調整ねじｂ２は、その両端部が常に固定部材の正面壁５の内面と門柱Ｃの取付け面とに当接又は近接しているので、支持部材Ｂはどの位置に存在するときも、前後方向に安定して保持されている。従って、従来と異なり、固定ねじｂ３により固定されるまでの間に、支持部材Ｂが前後方向に位置ずれを生じることがないという利点がある。また、固定ねじｂ３によるロックの終了後は、門扉開放時に支持部材Ｂに図  のＸ方向の衝撃力が加わった時は、その衝撃力は前後方向調整ねじｂ２の軸先端から門柱Ｃに、また、固定ねじｂ３の頭部から固定部材Ａの正面壁５に分散して負担される。従って、１ヒンジ当たり２本ずつのねじにより支持されるため、各固定部材Ａの長孔１１の口辺や各ねじｂ２，ｂ３又はネジ孔のネジ山の破損が防止される。また、前後方向調整ねじｂ２の頭部は、支持部材Ｂの前後方向の位置いかんに関わりなく、固定部材の正面壁５よりも内側に存在して、外面に浮き上がることがないので、従来と異なり、浮き上がった頭部で怪我をしたり、固定部材Ａの外観が損なわれることがない。
【００１６】
上記の実施例においては、固定部材Ａは、背面が開放されているので、前後方向調整ねじｂ２は、その軸先端が門柱Ｃに当接するものとしたが、他の実施例として、固定部材Ａには背面に支持部材挿入空間７を閉塞する背面壁を設け、前後方向調整ねじｂ２の軸先端がその背面壁に当接するようにしても良い。よって、特許請求の範囲の固定部材及び前後方向調整ねじは、このようなものをも含むものとする。
【００１７】
【発明の効果】
上述のように、本発明による門扉取付け用ヒンジの取付装置は、前後方向調整ねじが固定部材の正面壁の内面から門柱の固定部材取付面までの距離とほぼ等しい長さを有し、支持部材の第２のねじ孔にねじ込まれた状態で固定部材に挿入され、固定部材の正面壁には前後方向調整ねじ及び固定ねじの頭の径よりも小さな短径を有する左右方向に長い長孔を有し、固定ねじは前記長孔を貫通して前記支持部材の第３のねじ孔にねじ込まれることを特徴とするので、第１に、構成は簡単であり、第２に、門扉の前後及び左右の傾き調整作業が容易にでき、しかも、固定ねじ野によるロックまでの間に位置ずれを生じることもなく、第３に、支持部材の取付位置のいかんに関わりなく、前後方向調整ねじ及び固定ねじの固定部材の正面壁からの浮き上がりがなく、かつ、門扉開放時の衝撃力に対して十分な強度を有している。
【図面の簡単な説明】
【図１】本発明に係る門扉取付け用ヒンジの取付装置の分解斜視図。
【図２】固定部材に支持部材を固定した状態における正面図。
【図３】同じく横断面図。
【図４】門扉取付け用ヒンジを用いて取付けられた門扉の正面図。
【図５】従来技術を示す横断面図。
【符号の説明】
Ａ    固定部材
５    正面壁
６    端部壁
７    支持部材挿入空間
１０  溝
１１  長孔
Ｂ    支持部材
１４  ピン
１５  第１のねじ孔
１６  第２のねじ孔
１７  第３のねじ孔
ｂ１  左右方向調整ねじ
ｂ２  前後方向調整ねじ
ｂ３  固定ねじ
Ｃ    門柱
Ｄ    門扉
【図１】
0003626904.tif 000002
【図２】
0003626904.tif 000003
【図３】
0003626904.tif 000004
【図４】
0003626904.tif 000005
【図５】
0003626904.tif 000006